(57)【要約】【課題】ＨＳＵＰＡのＥ−ＤＰＤＣＨ上におけるデータ送信において、基地局から通知される受信結果がＡＣＫともＮＡＣＫとも判定できない場合に、移動端末から１回目に再送されるデータ送信結果がＮＡＣＫとなってしまう問題を解消する。【解決手段】移動通信端末６のレートマッチング部１２は、第１回目のデータ送信時に基地局から通知される受信結果がＡＣＫともＮＡＣＫとも判定できない場合には、データを再び送信する際に、初送用のレートマッチング・パラメータに基づいて、チャネル符号化部１１によって符号化されたデータをレートマッチングする。【選択図】図３
2009302864.tif 000002
【特許請求の範囲】
【請求項１】
高速アップリンクパケットアクセスのエンハンスト個別物理データチャネル上で送信データを基地局へ送信する移動端末装置であって、
前記送信データの送信が初送及び再送のいずれであるかに応じて定まるレートマッチング・パラメータに従って、前記送信データのチャネル符号化データをパンクチャリングして伝送データを生成するレートマッチング部と、
前記伝送データを基地局に送信する送信部と、
前記伝送データの受信結果に関して前記基地局から送信されるＡＣＫ信号又はＮＡＣＫ信号を検出する受信結果検出部と、
前記送信データの初送時に送信された前記伝送データについて、前記受信結果検出部がＡＣＫ信号及びＮＡＣＫ信号のいずれも検出しないとき、当該送信データを再び送信するための前記チャネル符号化データのレートマッチングに使用する前記レートマッチング・パラメータとして、初送用のレートマッチング・パラメータを設定するパラメータ設定部と、
を備える移動端末装置。
【請求項２】
前記パラメータ設定部は、前記移動端末装置と無線リンクで接続されるどの基地局についてもＡＣＫ信号及びＮＡＣＫ信号のいずれも検出されないとき、当該初送の送信データを再び送信する際の前記レートマッチング・パラメータとして、初送用のレートマッチング・パラメータを設定する、請求項１に記載の移動端末装置。
【請求項３】
前記移動端末装置と基地局の間の通信品質を測定する通信品質測定部を備え、
前記移動端末装置と無線リンクで接続されるどの基地局についてもＡＣＫ信号が検出されず、かつＮＡＣＫ信号が検出された基地局との間の通信品質が所定の基準を満たすとき、当該初送の送信データを再び送信する際の前記レートマッチング・パラメータとして、初送用のレートマッチング・パラメータを設定する、請求項１に記載の移動端末装置。
【請求項４】
高速アップリンクパケットアクセスのエンハンスト個別物理データチャネル上における、移動端末装置から基地局へのデータ送信方法であって、
送信データの送信が初送及び再送のいずれであるかに応じて定まるレートマッチング・パラメータに従って、前記送信データのチャネル符号化データをパンクチャリングすることにより該チャネル符号化データのレートマッチング処理を行い、
前記符号化データをパンクチャリングして得た伝送データを基地局へ送信し、
前記伝送データの受信結果に関して前記基地局から送信されるＡＣＫ信号又はＮＡＣＫ信号を検出し、
前記送信データの初送時に送信された前記伝送データについて、ＡＣＫ信号及びＮＡＣＫ信号のいずれも検出されないとき、該送信データを再び送信するために、初送用のレートマッチング・パラメータに基づいて、前記チャネル符号化データの前記レートマッチング処理を行う、ことを特徴とするデータ送信方法。
【発明の詳細な説明】
【技術分野】
【０００１】
本発明は、高速アップリンクパケットアクセス（ＨＳＵＰＡ: High Speed Uplink Packet Access）のエンハンスト専用チャネル（Ｅ−ＤＣＨ: Enhanced Dedicated Channel）上で送信データを基地局へ送信する移動端末装置及びデータ送信方法に関する。
【背景技術】
【０００２】
図１に、Ｅ−ＤＣＨ上における従来のデータ送信フローを示す。ステップＳ１０において移動端末装置は、基地局へエンハンスト個別物理制御チャネル（Ｅ−ＤＰＣＣＨ: Enhanced Dedicated Physical Control Channel）を経由して、エンハンスト個別物理データチャネル（Ｅ−ＤＰＤＣＨ: Enhanced Dedicated Physical Data Channel）の伝送フォーマット等の制御情報を送信し、ステップＳ１１において移動端末装置は、基地局へＥ−ＤＰＤＣＨ上を経由して、データを送信する。
【０００３】
基地局は、ステップＳ１２及びＳ１３において、Ｅ−ＤＰＣＣＨ及びＥ−ＤＰＤＣＨを経由して受信した信号を復号し、ステップＳ１５において、受信結果をＥ−ＤＣＨ  ＨＡＲＱ確認指示チャネル（Ｅ−ＨＩＣＨ: E-DCH HARQ Acknowledgement Indicator Channel）を介して移動端末装置へ送信する。このとき基地局は、Ｅ−ＤＰＤＣＨの復号結果が正常であれば受信結果としてＡＣＫを送信し、Ｅ−ＤＰＤＣＨの復号結果が異常であればＮＡＣＫを送信する。
【０００４】
基地局がＡＣＫ又はＮＡＣＫを送信する場合以外に、基地局がＡＣＫ及びＮＡＣＫのいずれも送信しない場合がある。例えば、Ｅ−ＤＰＣＣＨの復号結果が異常である場合には、基地局はステップＳ１４において、Ｅ−ＤＰＤＣＨの受信結果を破棄し、Ｓ１５においてＡＣＫ及びＮＡＣＫのいずれもＥ−ＨＩＣＨ上で送信しない。このように基地局からＡＣＫ及びＮＡＣＫのいずれも送信しない状態を、以下「ＤＴＸ」を表記することがある。
【０００５】
移動端末装置は、１つ又は複数の基地局からＥ−ＨＩＣＨ上で受信した受信信号を、各基地局毎にソフトコンバインした後、前回の送信したデータの受信結果がＡＣＫであるかＮＡＣＫであるかを判定する。このとき移動端末装置は、複数の基地局から受信結果を受信したときは、これらの基地局のうち１つでもその受信結果がＡＣＫであれば、ＡＣＫと判定し次のデータを送信するが、それ以外の場合にはＮＡＣＫと判定して前回送信したデータの再送を行う。
このとき、全ての無線リンクにおいてＥ−ＤＰＣＣＨの復号結果が異常であった場合には、これらの無線リンクのＥ−ＨＩＣＨ上において送信される受信結果の内容が全てＤＴＸとなり（ステップＳ１６）、その結果として基地局は、前回送信したデータの再送を行う（ステップＳ１７及びＳ１８）。
【０００６】
なお、下記特許文献１には、ユーザデータの再送制御を移動局及び基地局間の物理レイヤ及びＭＡＣサブレイヤにおいて行う際に、当該移動局が接続する無線基地局の数に応じてＡｃｋ−ＤＴＸ判定閾値を設定することが開示されている。
【０００７】
【特許文献１】特開２００６−２９５９１２号公報
【発明の開示】
【発明が解決しようとする課題】
【０００８】
移動端末装置から基地局へ送信されるデータは、ターボ符号化処理によってチャネル符号化され、レートマッチング処理によってチャネル符号化されたデータのサイズを伝送チャネルのデータサイズに合わせる。レートマッチング処理を決定するレートマッチング・パラメータの値は再送回数によって定まり、初送時、すなわち当該データを初めて送信する場合には、ターボ符号化されたチャネル符号化データのうちシステマチックビットが優先して送信され、１回目の再送時には、システマチックビットよりもパリティビットが優先して送信されるように定められている。このため、図１に示すフローのステップＳ１７及びＳ１８において再送されたデータは、パリティビットが優先して送信される。
【０００９】
しかし、例えばＥ−ＤＰＣＣＨの復号結果が異常であった場合のように、ステップＳ１４で基地局側で初送時のデータを破棄していた場合には、仮にステップＳ１９及びＳ２０においてＥ−ＤＰＣＣＨ及びＥ−ＤＰＤＣＨ上の信号を正常に復号できたとしても、所定の条件の下では、符号化前の送信データを必ず復号できない場合が生じる（ステップＳ２１）。特に、チャネル符号化前のデータサイズと、物理チャネル上で伝送されるデータのデータサイズが同程度の場合には、再送されたパリティビットだけでは情報量が足りないため符号化前の送信データを復号できない。
【００１０】
その結果、ステップＳ１７及びＳ１８でデータを再送しても、その受信結果としてＮＡＣＫが送信され（ステップＳ２２）、ステップＳ２３でＮＡＣＫを受信した移動端末装置はステップＳ２４及びＳ２５で２度目の再送を行わざるを得なくなる。
【００１１】
開示の装置及び方法は、上記のように基地局から通知される受信結果がＡＣＫともＮＡＣＫとも判定できない場合に、１回目に再送したデータ送信結果が必ずＮＡＣＫとなってしまう問題を解消することを目的とする。
【課題を解決するための手段】
【００１２】
開示の装置及び方法では、第１回目のデータ送信時に基地局から通知される受信結果がＡＣＫともＮＡＣＫとも判定できない場合には、データを再び送信する際に、初送用のレートマッチング・パラメータに基づいてレートマッチング処理を行う。
【００１３】
移動端末装置と無線リンクで接続されるどの基地局についてもＡＣＫ及びＮＡＣＫの判定ができないときに、初送用のレートマッチング・パラメータを使用することしてよい。また、どの基地局についてもＡＣＫ信号が検出されず、かつＮＡＣＫ信号が検出された基地局との間の通信品質が所定の基準を満たすとき、初送用のレートマッチング・パラメータを使用することとしてもよい。
【発明の効果】
【００１４】
基地局から通知される受信結果がＡＣＫともＮＡＣＫとも判定できない場合に、２度目のデータ送信結果が必ずＮＡＣＫとなってしまう問題が解消され、移動端末装置及び既知局間のアップリンクにおけるデータのスループットが改善される。
また、いずれかの基地局からＮＡＣＫを受信しても、これらの基地局との通信品質が所定の基準を満たすときには初送用のレートマッチング・パラメータを使用することによりより信頼性の高い無線リンクによって接続された基地局から得た受信結果情報にしたがって、初送用及び再送用のいずれのレートマッチング・パラメータを使用すべきかの判定を行うことが可能となる。
【発明を実施するための最良の形態】
【００１５】
以下、添付する図面を参照して実施例を説明する。図２は、開示の通信システムの概略構成図である。通信システム１は、ＨＳＵＰＡをサポートする通信システムであり、パケット交換ネットワークや回線交換ネットワークを含むコアネットワーク２と、コアネットワーク２に接続された無線ネットワーク制御装置３（ＲＮＣ）と、無線ネットワーク制御装置Ｒ３に接続された基地局４及び５と、移動端末装置６（ＵＥ）とを含んでいる。
図示の例では、基地局４は複数のセルＣ１〜Ｃ３をカバーしており、移動端末装置６と基地局４とは同時に複数の無線リンクＲＬ１及びＲＬ２で接続されている。また基地局５は複数のセルＣ４及びＣ５をカバーしており、移動端末装置６は、基地局４だけでなく基地局５とも同時に接続されている。移動端末装置６と基地局５との間の無線リンクは参照符号ＲＬ３によって示されている。
【００１６】
図３は、開示の移動端末装置の概略構成図である。図３の構成図はＨＳＵＰＡをサポートする移動端末装置として備える各機能のうち、本明細書にて開示されるデータの再送機能及び再送方法の説明に関係する機能のみ記載しており、ＨＳＵＰＡをサポートする移動端末装置として移動端末装置６が備えるべき他の機能については説明を省略する。
移動端末装置６は、送信データの生成又は処理を行うベースバンド処理部１０と、ベースバンド処理部１０から出力される送信データにターボ符号化処理を行いチャネル符号化データ（Ｓ、Ｐ１、Ｐ２）を生成するチャネル符号化部１１と、チャネル符号化データ（Ｓ、Ｐ１、Ｐ２）にパンクチャリング処理やレペティション処理を含むレートマッチング処理を施し、チャネル符号化されたデータのサイズを伝送チャネルのデータサイズに合わせた伝送データを生成するレートマッチング部１２と、Ｅ−ＤＰＤＣＨを介して伝送データを、Ｅ−ＤＰＣＣＨを介してＥ−ＤＰＤＣＨの伝送フォーマットなどの制御情報を送信する送信部１３と、レートマッチング部１２行うレートマッチング処理の動作を定めるレートマッチング・パラメータを設定するパラメータ設定部１４と、を備える。
【００１７】
また、移動端末装置６は、Ｅ−ＤＰＤＣＨを介して送信された上記データの受信結果に関して、基地局４及び５がＥ−ＨＩＣＨを介して送信した受信結果情報を受信する受信部１５と、受信部１５が受信した受信信号に基づいて、基地局４及び５から送信されるＡＣＫ信号又はＮＡＣＫ信号を検出する受信結果検出部１６を備える。受信品質測定部１７については後述する。
【００１８】
受信結果検出部１６は、基地局４及び５によって所定の拡散コードで拡散されたＡＣＫ信号又はＮＡＣＫ信号を逆拡散することによってこれらの信号を検出し、基地局４及び５から受信した受信結果情報がＡＣＫ、ＮＡＣＫ又はこれらの何れでもないＤＴＸであるかを、パラメータ設定部１４に通知する。
【００１９】
パラメータ設定部１４は、受信結果検出部１６がＮＡＣＫ信号を検出したとき、前回送信したチャネル符号化データ（Ｓ、Ｐ１、Ｐ２）にレートマッチング処理を施すレートマッチング部１２に、再送用のレートマッチング・パラメータを設定する。第１回目の再送用のレートマッチング・パラメータを設定されたレートマッチング部１２は、誤り訂正符号であるパリティビットＰ１及びＰ２を優先して伝送データを生成する。
【００２０】
一方で、受信結果検出部１６がＡＣＫ信号もＮＡＣＫ信号も検出しないとき、すなわちＤＴＸとなる状態では、パラメータ設定部１４は、前回送信したチャネル符号化データ（Ｓ、Ｐ１、Ｐ２）にレートマッチング処理を施すレートマッチング部１２に、初送用のレートマッチング・パラメータを設定する。初送用のレートマッチング・パラメータを設定されたレートマッチング部１２は、システマチックビットＳを優先して伝送データを生成する。
【００２１】
特に、物理チャネルを伝送する伝送データのデータ長と符号化前のデータ長とがほぼ同じ場合には、ターボ符号化後のチャネル符号化データのデータ長はほぼ伝送データのデータ長の３倍程度となる。
このとき、第１回目の再送用のレートマッチング・パラメータが設定されたレートマッチング部１２が生成する伝送データは、パリティビットＰ１及びＰ２をほぼ５０％ずつ含んだデータであり、元の送信データを再現するにはデータが必ず不足する。したがって再送されたデータのみから基地局側で元のデータを再現することはできない。
【００２２】
一方で、初送用のレートマッチング・パラメータが設定されたレートマッチング部１２が生成する伝送データは、最低でも全てのシステマチックビットを含んでいるので、このデータのみから元の送信データを再現することができる。このようにして、開示の装置及び方法は、第１回目に再送されたデータの受信結果がＡＣＫとなる可能性を高めて第２回目の再送の発送を避けることによってスループットを向上させる。
開示の装置及び方法は、第１回目の再送用のレートマッチング・パラメータが設定されたレートマッチング部１２が出力する伝送データが、元の送信データを再現するのに必要な全ての情報を含まなくなる場合に良好な効果を発揮する。したがって、物理チャネルを伝送する伝送データのデータ長に対する符号化前のデータ長の比が１〜１／２程度の場合に特に良好な効果を発揮する。
【００２３】
図４は、開示のデータ送信方法によるＥ−ＤＣＨ上におけるデータ送信フローを示す図である。ステップＳ１０〜Ｓ１６は、図１を参照して説明したフローと同様である。
基地局４及び５がＥ−ＨＩＣＨを介して送信した受信結果を示す信号を、移動端末装置６の受信部１５が受信し、ステップＳ１６において、受信結果検出部１６が受信信号を復号してＡＣＫ信号又はＮＡＣＫ信号を検出する。
【００２４】
受信結果検出部１６が、現在接続中の無線リンクのうちいずれかでＮＡＣＫ信号を検出した場合には、パラメータ設定部１４は従来と同様に第１回目の再送用のレートマッチング・パラメータを生成する。
受信結果検出部１６が、現在接続中のいずれの無線リンクでもＡＣＫ信号又はＮＡＣＫ信号を検出しない場合には、受信結果検出部１６は、ＡＣＫ信号及びＮＡＣＫ信号のいずれも検出されなかったＤＴＸ状態であることをパラメータ設定部１４に通知し、ステップＳ３０にてパラメータ設定部１４は、初送用のレートマッチング・パラメータを生成する。
【００２５】
レートマッチング部１２は、パラメータ設定部１４により生成された初送用のレートマッチング・パラメータに従って、システマチックビットＳを優先して含んだ初送用のデータを伝送データを生成し、Ｅ−ＤＰＣＣＨ及びＥーＤＰＤＣＨを経由して伝送データが基地局へ送信される（ステップＳ３１及びＳ３２）。
【００２６】
基地局４及び５では、受信データが正常に復号できると（ステップＳ３３及びＳ３４）、受信データにはチャネル符号化前の元データを再現する全ての情報が含まれているので、ステップＳ３５において元データを再現することができる。したがって、図１を参照した説明した従来のフローと異なり、基地局４及び５は、２回目の再送を要求することなくＡＣＫ信号を移動端末装置６に送信することができる（ステップＳ３６）。移動端末装置６の受信部１５及び受信結果検出部は、それぞれＡＣＫ信号を受信及び復号して当該データの送信処理が完了する。
【００２７】
上記の実施例では、基地局４及び５と移動端末装置６との間を接続する全ての無線リンクにおいて受信結果がＤＴＸであった場合に、初送用の伝送データを再度送信した。
しかしながら、例えば、通信結果が最も信頼できる基地局との間を接続する無線リンクであるServing RLにおける判定結果がＤＴＸであった場合には、たとえNon-Serving RLにおける判定結果がＮＡＣＫであったとしても、初送用の伝送データを再度送信することで２回目の再送の発生を低減することができる。
【００２８】
このため図３に示す移動端末装置６は、現在接続中の無線リンクにおける受信品質を測定する受信品質測定部１７を備える。
例えば、受信品質測定部１７は、受信部１５にて検出した受信電波のＳＩＲ（受信信号電力対干渉電力比）を受信品質として測定してよい。また受信データのビット誤り率を受信品質として測定してもよい。
【００２９】
受信結果検出部１６が、接続中の基地局のいずれからもＡＣＫ信号を受信したことを検出しないときには、パラメータ設定部１４は、受信品質測定部１７が各基地局毎に測定した受信品質の指数を参照し、ＮＡＣＫ信号が検出された基地局について測定された受信品質が所定の基準を満たすときには、レートマッチング部１２に、初送用のレートマッチング・パラメータを設定する。
一方で、接続中の基地局のいずれからもＡＣＫ信号を受信したことが検出されず、ＮＡＣＫ信号が検出された基地局について測定された受信品質が上記の所定の基準を満たさないときには、レートマッチング部１２に、第１回目の再送用のレートマッチング・パラメータを設定する。
【００３０】
図５は、開示のデータ送信方法におけるデータ再送手順を示すフローチャートである。
ステップＳ５０において、移動端末装置６は、基地局に対して、データの第１回目の送信を行う。このとき、レートマッチング部１２は、初送用のレートマッチング・パラメータを用いてチャネル符号化データのレートマッチングを行う。
ステップＳ５１において、基地局は、ステップＳ５０で送信された受信結果の判定を行う。現在無線リンクで接続されている全て基地局から送信された受信結果がＡＣＫであれば、移動端末装置６は、処理をＳ５０に移して次のデータの第１回目の送信を行う。
【００３１】
現在無線リンクで接続されている基地局のうち受信結果がＡＣＫでない基地局がある場合には、ステップＳ５２において受信品質測定部１７は、受信部１５にて検出した受信信号の品質を各基地局毎に測定する。受信品質測定部１７は、各基地局毎の受信品質の指数を決定する。
例えば指数は、最も受信品質が高い基地局からの受信品質の測定値に対する、各基地局からの受信品質の測定値の比として求めてもよい。
【００３２】
以下の説明のため、例えば、移動端末装置６が、４つの基地局ＢＳ０〜ＢＳ３と接続されており、各基地局ＢＳ０〜ＢＳ３について決定した指数がそれぞれ１．０、０．７５、０．５及び０．１であり、かつ基地局ＢＳ０及びＢＳ１による受信結果はＤＴＸであり、基地局ＢＳ２及びＢＳ３による受信結果はＮＡＣＫであったと仮定する。
【００３３】
ステップＳ５３において、パラメータ設定部１４は、受信結果がＤＴＸと判定された基地局以外の他の基地局における受信品質の指数の合計値を算出する。上述の例では、基地局ＢＳ２及びＢＳ３による受信結果がＤＴＸでないため、これらの基地局における受信品質の指数の合計値（０．５＋０．１＝０．６）を算出する。
【００３４】
ステップＳ５４では、ステップＳ５３で算出した合計値が所定の閾値未満であるか否かを判定する。
判定の結果、上記合計値が所定の閾値未満である場合には、受信結果がＤＴＸでない基地局（本例では基地局ＢＳ２及びＢＳ３）における受信品質が許容される値より低いと考えられる。このため、これらの基地局による受信結果を採用しないこととし、ステップＳ５５においてパラメータ設定部１４は、初送用のレートマッチング・パラメータをレートマッチング部１２に設定する。このため、初送用の伝送データが基地局ＢＳ０〜ＢＳ３へ再度送信される。
例えば、上記の例では、閾値が０．６２５に予め設定されていると、ステップＳ５３において算出した合計値０．６は閾値より小さいため、処理がステップＳ５５に移り、初送用の伝送データが基地局ＢＳ０〜ＢＳ３へ再度送信されることになる。
【００３５】
一方ステップＳ５４における判定の結果、上記合計値が所定の閾値未満である場合には、受信結果がＤＴＸでない基地局（本例では基地局ＢＳ２及びＢＳ３）における受信品質が許容値を満たすと考えられる。このため、ステップＳ５６においてパラメータ設定部１４は、再送第１回目用のレートマッチング・パラメータをレートマッチング部１２に設定する。このため、再送第１回目用の伝送データが基地局ＢＳ０〜ＢＳ３へ再度送信される。
【００３６】
以上の実施例を含む実施形態に関し、更に以下の付記を開示する。
【００３７】
（付記１）
高速アップリンクパケットアクセス（ＨＳＵＰＡ）のエンハンスト個別物理データチャネル（Ｅ−ＤＰＤＣＨ）上で送信データを基地局へ送信する移動端末装置であって、
前記送信データの送信が初送及び再送のいずれであるかに応じて定まるレートマッチング・パラメータに従って、前記送信データのチャネル符号化データをパンクチャリングして伝送データを生成するレートマッチング部と、
前記伝送データを基地局に送信する送信部と、
前記伝送データの受信結果に関して前記基地局から送信されるＡＣＫ信号又はＮＡＣＫ信号を検出する受信結果検出部と、
前記送信データの初送時に送信された前記伝送データについて、前記受信結果検出部がＡＣＫ信号及びＮＡＣＫ信号のいずれも検出しないとき、当該送信データを再び送信するための前記チャネル符号化データのレートマッチングに使用する前記レートマッチング・パラメータとして、初送用のレートマッチング・パラメータを設定するパラメータ設定部と、
を備える移動端末装置。（１、図３）
【００３８】
（付記２）
前記レートマッチング部は、再送用のレートマッチング・パラメータが指定されるとき、誤り検出符号を含む前記伝送データを生成する付記１に記載の移動端末装置。
【００３９】
（付記３）
前記パラメータ設定部は、前記移動端末装置と無線リンクで接続されるどの基地局についてもＡＣＫ信号及びＮＡＣＫ信号のいずれも検出されないとき、当該初送の送信データを再び送信する際の前記レートマッチング・パラメータとして、初送用のレートマッチング・パラメータを設定する、付記１に記載の移動端末装置。（２、図４）
【００４０】
（付記４）
前記移動端末装置と基地局の間の通信品質を測定する通信品質測定部を備え、
前記移動端末装置と無線リンクで接続されるどの基地局についてもＡＣＫ信号が検出されず、かつＮＡＣＫ信号が検出された基地局との間の通信品質が所定の基準を満たすとき、当該初送の送信データを再び送信する際の前記レートマッチング・パラメータとして、初送用のレートマッチング・パラメータを設定する、付記１に記載の移動端末装置。（３、図５）
【００４１】
（付記５）
高速アップリンクパケットアクセス（ＨＳＵＰＡ）のエンハンスト個別物理データチャネル（Ｅ−ＤＰＤＣＨ）上における、移動端末装置から基地局へのデータ送信方法であって、
送信データの送信が初送及び再送のいずれであるかに応じて定まるレートマッチング・パラメータに従って、前記送信データのチャネル符号化データをパンクチャリングすることにより該チャネル符号化データのレートマッチング処理を行い、
前記符号化データをパンクチャリングして得た伝送データを基地局へ送信し、
前記伝送データの受信結果に関して前記基地局から送信されるＡＣＫ信号又はＮＡＣＫ信号を検出し、
前記送信データの初送時に送信された前記伝送データについて、ＡＣＫ信号及びＮＡＣＫ信号のいずれも検出されないとき、該送信データを再び送信するために、初送用のレートマッチング・パラメータに基づいて、前記チャネル符号化データの前記レートマッチング処理を行う、ことを特徴とするデータ送信方法。（４、図４）
【００４２】
（付記６）
前記レートマッチング処理は、再送用のレートマッチング・パラメータが指定されるとき、誤り検出符号を含む前記伝送データを生成する付記５に記載のデータ送信方法。
【００４３】
（付記７）
前記移動端末装置と無線リンクで接続されるどの基地局についてもＡＣＫ信号及びＮＡＣＫ信号のいずれも検出されないとき、初送用のレートマッチング・パラメータに基づいて、前記チャネル符号化データの前記レートマッチング処理を行う、付記５に記載のデータ送信方法。
【００４４】
（付記８）
前記移動端末装置と基地局の間の通信品質を測定し、
前記移動端末装置と無線リンクで接続されるどの基地局についてもＡＣＫ信号が検出されず、かつＮＡＣＫ信号が検出された基地局との間の通信品質が所定の基準を満たすとき、初送用のレートマッチング・パラメータに基づいて、前記チャネル符号化データの前記レートマッチング処理を行う、付記５に記載のデータ送信方法。（図５）
【図面の簡単な説明】
【００４５】
【図１】Ｅ−ＤＣＨ上における従来のデータ送信フローを示す図である。
【図２】開示の通信システムの概略構成図である。
【図３】開示の移動端末装置の概略構成図である。
【図４】開示のデータ送信方法によるＥ−ＤＣＨ上におけるデータ送信フローを示す図である。
【図５】開示のデータ送信方法におけるデータ再送手順を示すフローチャートである。
【符号の説明】
【００４６】
１    通信システム
２    コアネットワーク
３    無線ネットワーク制御装置
４、５    基地局
６    移動端末装置
Ｃ１〜Ｃ５    セル
ＲＬ１〜ＲＬ３    無線リンク
【図１】
2009302864.tif 000003
【図２】
2009302864.tif 000004
【図３】
2009302864.tif 000005
【図４】
2009302864.tif 000006
【図５】
2009302864.tif 000007